(57)【要約】【課題】ストロボ装置において、所望の光量で所望の色温度のストロボ光、あるいは所望の光量で所望の閃光時間のストロボ光を得る。【解決手段】ロム１ａ内に大容量メインコンデン５の充電電圧を決める充電データと閃光時間を決める閃光時間データを多数組記憶する。制御回路１で調光ノブ２で指定された光量と、色温度／閃光時間調整ノブ３で指定された色温度または閃光時間とを読み取る。光量と色温度、または、光量と閃光時間に対応する充電データと閃光時間データをロム１ａから読み取る。充電データに従って主充電回路７で大容量メインコンデンサ５を所定の電圧に充電する。閃光時間データに応じてＩＧＢＴ６を所定の時間だけＯＮ動作し、Ｘｅ放電管１０を発光する。【選択図】図１
2005310624.tif 000002
【特許請求の範囲】
【請求項１】
コンデンサの充電電圧に応じて放電管の自由放電時の色温度と光量が決まるストロボ装置において、
前記コンデンサと前記放電管との間に設けられたスイッチング素子と、
前記コンデンサの充電電圧を制御するとともに前記スイッチング素子のＯＮ／ＯＦＦにより前記放電管の閃光時間を制御する制御回路と、
色温度と光量とに対応して予め決められた充電電圧データと閃光時間データとを色温度及び光量に対応して記憶している記憶手段と、
色温度を指定する色温度指定手段と、
光量を指定する調光手段と、
を備え、
前記制御回路が、前記色温度指定手段で指定された色温度と前記調光手段により指定された光量とに対応する充電電圧データと閃光時間データとを前記記憶手段から読出して、該充電電圧データに応じて前記コンデンサを充電するとともに、該閃光時間データに応じて前記閃光時間を制御することを特徴とするストロボ装置。
【請求項２】
コンデンサの充電電圧に応じて放電管の自由放電時の閃光時間と光量が決まるストロボ装置において、
前記コンデンサと前記放電管との間に設けられたスイッチング素子と、
前記コンデンサの充電電圧を制御するとともに前記スイッチング素子のＯＮ／ＯＦＦにより前記放電管の閃光時間を制御する制御回路と、
光量と閃光時間とに対応して予め決められた充電電圧データと閃光時間データとを光量及び閃光時間に対応して記憶している記憶手段と、
閃光時間を指定する閃光時間指定手段と、
光量を指定する調光手段と、
を備え、
前記制御回路が、前記閃光時間指定手段で指定された閃光時間と前記調光手段により指定された光量とに対応する充電電圧データと閃光時間データとを前記記憶手段から読出して、該充電電圧データに応じて前記コンデンサを充電するとともに、該閃光時間データに応じて前記閃光時間を制御することを特徴とするストロボ装置。
【発明の詳細な説明】
【技術分野】
【０００１】
本発明は、撮影スタジオや野外などでフラッシュ撮影に用いるストロボ装置に関わり、特に複数台用いて多灯ライティングを行うのに好適なストロボ装置に関する。
【背景技術】
【０００２】
従来、ストロボ光源は、充電回路により電解コンデンサに蓄積した電気エネルギを、その両端子間に接続したキセノン放電管に放電させて瞬間光を得るものである。そして、大型ストロボの調光方式として次の３つの種類がある。第１に、電解コンデンサにおける蓄積エネルギを充電電圧を変化させることで調整する「電圧調光方式」がある。第２に、複数の電解コンデンサを用いて個々のコンデンサと放電管の中間に半導体スイッチを設け、そのＯＮ／ＯＦＦの選択により放電するエネルギを変化させて調光する「コンデンサ調光方式」がある。第３に、電解コンデンサと放電管の中間の半導体スイッチとして自在にＯＦＦ可能な素子である転流サイリスタ又はＩＧＢＴ（絶縁ゲート型バイポーラトランジスタ）を使用し、放電の途中で放電路をＯＦＦすることで調光する「シリーズ・カット方式」がある。
【０００３】
また、ストロボ光源の発光時の光量、閃光時間及び色温度は相互に関係するため、２つの電解コンデンサを用いて、これらを直列接続と並列接続とで切り換えることで色温度を補償するようにしたものが、特開平７−６８９１号公報に開示されている。
【特許文献１】特開平７−６８９１号公報
【発明の開示】
【発明が解決しようとする課題】
【０００４】
電圧調光方式の場合は、調光量を下げると色温度が低下してしまうという問題があり、また、コンデンサ調光方式やシリーズ・カット方式では、色温度が上昇してしまうという問題がある。このため、どちらの場合も写真撮影の際にフィルタによる色補正が必要であり、あるいは撮影後の写真のプリントの段階で色の補正をする必要がある。
【０００５】
また、昨今、本格的なスタジオ撮影でもデジタル・カメラの普及が進み、多灯ライティングを行う場合は、メイン・ライト、フロント・ライト、アクセント・ライト、スカイ・ライトなどのように、ライトの位置も違えば、光量も異なるので、従来の方式では色温度がまちまちになり、色温度の差に敏感なデジタル・カメラでは、特にフィルタの選択が煩雑になったり、撮影後の処理が煩雑になるという問題がある。
【０００６】
本発明は、調光量と色温度とを容易に設定できるようにして撮影現場でもきわめて扱い易いストロボ装置を提供することを課題とする。
【課題を解決するための手段】
【０００７】
請求項１のストロボ装置は、コンデンサの充電電圧に応じて放電管の閃光時の色温度と光量が決まるストロボ装置において、前記コンデンサと前記放電管との間に設けられたスイッチング素子と、前記コンデンサの充電電圧を制御するとともに前記スイッチング素子のＯＮ／ＯＦＦにより前記放電管の閃光時間を制御する制御回路と、色温度と光量とに対応して予め決められた充電電圧データと閃光時間データとを色温度及び光量に対応して記憶している記憶手段と、色温度を指定する色温度指定手段と、光量を指定する調光手段と、を備え、前記制御回路が、前記色温度指定手段で指定された色温度と前記調光手段により指定された光量とに対応する充電電圧データと閃光時間データとを前記記憶手段から読出して、該充電電圧データに応じて前記コンデンサを充電するとともに、該閃光時間データに応じて前記閃光時間を制御することを特徴とする。
【０００８】
請求項２のストロボ装置は、コンデンサの充電電圧に応じて放電管の閃光時の閃光時間と光量が決まるストロボ装置において、前記コンデンサと前記放電管との間に設けられたスイッチング素子と、前記コンデンサの充電電圧を制御するとともに前記スイッチング素子のＯＮ／ＯＦＦにより前記放電管の閃光時間を制御する制御回路と、光量と閃光時間とに対応して予め決められた充電電圧データと閃光時間データとを光量及び閃光時間に対応して記憶している記憶手段と、閃光時間を指定する閃光時間指定手段と、光量を指定する調光手段と、を備え、前記制御回路が、前記閃光時間指定手段で指定された閃光時間と前記調光手段により指定された光量とに対応する充電電圧データと閃光時間データとを前記記憶手段から読出して、該充電電圧データに応じて前記コンデンサを充電するとともに、該閃光時間データに応じて前記閃光時間を制御することを特徴とする。
【０００９】
請求項１のストロボ装置において、放電管を自由放電させたときの色温度と光量はコンデンサの充電電圧に応じて決まる。また請求項２のストロボ装置において、放電管を自由放電させたときの閃光時間と光量はコンデンサの充電電圧に応じてが決まる。
【００１０】
請求項１のストロボ装置では、調光手段で指定した光量で、かつ、色温度指定手段で指定した色温度のストロボ光が得られる。したがって、例えば、カメラの７絞りにも及ぶ広い調光範囲でも色温度の変動を例えば±１００°Ｋに抑えることができる。また、所望の光量において、意図的に色温度を上昇させたり下降させたりして、かつ光量は変動させないようなこともできる。
【００１１】
請求項２のストロボ装置では、調光手段で指定した光量で、かつ、閃光時間指定手段で指定した閃光時間のストロボ光が得られる。したがって、所望の光量において、閃光時間を短くしたり、長くしたりして、かつ光量は変動させないようなこともできる。撮影時にはディフュージョンとして布、アクリル板、トレーシングペーパーを使用するが、これらを使用すると色温度が下がる。前者はライトにこのようなアクセサリーを使用して色温度が下降した場合の色温度の補正などに有効である。また、後者は、動体の動きを表現する流し撮りや、一瞬を切り取る高速撮影に有効となる。
【発明の効果】
【００１２】
請求項１のストロボ装置によれば、広い調光範囲でも色温度の変動を抑えることができ、また、意図的に色温度を上昇させたり下降させたりして、かつ光量は変動させないようなこともできるので、撮影現場でもきわめて扱い易くなる。
【００１３】
請求項２のストロボ装置によれば、閃光時間を短くしたり、長くしたりして、かつ光量は変動させないようなこともできるので、撮影現場でもきわめて扱い易くなる。
【発明を実施するための最良の形態】
【００１４】
次に、本発明の実施形態を図面を参照して説明する。図１は実施形態のストロボ装置の要部回路図である。図において、制御回路１はマイクロコンピュータ等で構成されており、そのロム（リード・オンリ・メモリ）１ａ内には、大容量メインコンデン５の充電電圧を決める充電データと閃光時間を決める閃光時間データが多数組記憶されている。また、調光ノブ２、色温度／閃光時間調整ノブ３、及び選択スイッチ４は、装置の図示しないパネル面等に配設されており、ユーザはこの調光ノブ２を操作して所望の光量を設定する。また、色温度／閃光時間調整ノブ３を操作して所望の色温度あるいは所望の閃光時間を設定する。なお、選択スイッチ４の操作で色温度／閃光時間調整ノブ３を色温度設定用に用いるか、閃光時間設定用に用いるかが切り変えられる。
【００１５】
制御回路１は、調光ノブ２と、色温度／閃光時間調整ノブ３の設定値を読み取ると、その設定値に応じて予め設定された大容量メインコンデンサ５の充電電圧を示す充電データとＩＧＢＴ（絶縁ゲート型バイポーラトランジスタ）６のＯＮ時間（時間間隔）を制御する閃光時間データをロム１ａから読み取る。そして、充電データに従って主充電回路７を動作させ、大容量メインコンデンサ５を所定の電圧に充電してその電圧を維持する。
【００１６】
副充電回路８は、小容量コンデンサ９をＸｅ（キセノン）放電管１０の発光開始電圧より充分に高い電圧にまで充電しておき、大容量メインコンデンサ５が発光開始電圧より低く設定されていてもＸｅ放電管１０の発光を補償する回路である。
【００１７】
また、シンクロ回路１１がカメラ２０により回路を閉じられると、制御回路１は、トリガー回路１２に信号を送り、Ｘｅ放電管１０に対してトリガー・コンデンサ１３の電荷を放電してＸｅ放電管１０を励起する。これと同時に、制御回路１はトリガー放電検出回路１４から信号を受け、この制御回路１内のタイマをスタートする。このタイマは前記ロム１ａから読み取った閃光時間データで動作し、このタイマの信号を受けて駆動回路１５が動作し、ＩＧＢＴ６が所定の時間だけＯＮ動作を行いＸｅ放電管１０に必要とする閃光時間の発光を行わせる。
【００１８】
ロム１ａに記憶されている充電データと閃光時間データは、調光ノブ２で指定された光量と、色温度／閃光時間調整ノブ３で指定された色温度とを入力パラメータとして、データテーブルからそれぞれセットで読み出される。また、充電データと閃光時間データは、調光ノブ２で指定された光量と、色温度／閃光時間調整ノブ３で指定された閃光時間とを入力パラメータとして、データテーブルからそれぞれセットで読み出される。すなわち、このロム１ａのデータは、指定光量で指定色温度の発光が行われるような充電電圧と閃光時間とを示すデータである。これにより、指定された光量で、指定された色温度のストロボ光を得ることができる。また、指定された光量で、指定された閃光時間のストロボ光を得ることができる。
【００１９】
なお、調光ノブ２は請求項１及び２の「調光手段」に相当する。色温度／閃光時間調整ノブ３を選択スイッチ４により色温度設定用に用いモードのとき、色温度／閃光時間調整ノブ３が請求項１の「色温度指定手段」に相当し、閃光時間設定用に用いるモードのとき、色温度／閃光時間調整ノブ３が請求項２の「閃光時間指定手段」に相当する。また、ロム１ａは請求項１及び２の「記憶手段」に相当し、ＩＧＢＴ（絶縁ゲート型バイポーラトランジスタ）６は請求項１及び２の「スイッチング素子」に相当する。
【図面の簡単な説明】
【００２０】
【図１】本発明の実施形態のストロボ装置の要部回路図である。
【符号の説明】
【００２１】
１    制御回路
１ａ  ロム
２    調光ノブ
３    色温度／閃光時間調整ノブ
４    選択スイッチ
５    大容量メインコンデンサ
６    ＩＧＢＴ
７    主充電回路
１０  Ｘｅ放電管
【図１】
2005310624.tif 000003